(57)【要約】【課題】有効嵌合長を十分長することができる偏平導体用コネクタを提供する。【解決手段】偏平導体用コネクタは、複数の接触端子３を収納したハウジング１と、ハウジング１に回動自在取り付けられた操作部材２とを備えている。そして、操作部材２は、受入部２１とガイド部２２とを有し、ガイド部２２の下面には、ハウジング１側に向かって上方に傾斜する下傾斜部２２ｂが形成されている。さらに、ガイド部２２の上面にも上方に傾斜する上傾斜部２２ａが形成され、操作部材２の閉時に、この上傾斜部２２ａが、接触端子３の上アーム部３０に形成された傾斜部３０ａに係合する。【選択図】      図３
2004185839.tif 000002
【特許請求の範囲】
【請求項１】
上アーム部及び下アーム部を有した複数の接触端子を開口側に向けて収納したハウジングと、
上記ハウジングに回動自在に保持され、回動中心より前側に偏平導体を受け入れるための受入部を有し、この受入部の上部から上記ハウジングの内部迄延出し且つ閉時に上記接触端子の上アーム部に下方から当接するガイド部を有した操作部材と
を具備する偏平導体用コネクタであって、
上記操作部材のガイド部の下面を、上記ハウジングの奥方に向かって上方に傾斜するように形成した、
ことを特徴とする偏平導体用コネクタ。
【請求項２】
請求項１に記載の偏平導体用コネクタにおいて、
上記操作部材のガイド部の上面を、上記ハウジングの奥方に向かって上方に傾斜するように形成すると共に、
上記接触端子の上アーム部の下面を、ハウジングの上記開口に向かって下方に傾斜するように形成することにより、
上記操作部材の閉時に、上記ガイド部と上記上アーム部との係合を可能にした、
ことを特徴とする偏平導体用コネクタ。
【発明の詳細な説明】
【０００１】
【発明の属する技術分野】
この発明は、フレクシブルフラットケーブル（ＦＦＣ）、フレクシブルプリント基板（ＦＰＣ）等の偏平導体を回路基板に接続するための偏平導体用コネクタに関するものである。
【０００２】
【従来の技術】
従来、この種の偏平導体用コネクタとしては、例えば、特許文献１に記載された技術がある。
図８は、この従来技術を示す断面図である。
図８に示すように、この偏平導体用コネクタは、複数の接触端子１０１を収納したハウジング１００に操作部材１１０を回動自在に取り付けた構造になっている。
かかる構造により、二点鎖線で示すように、起立させた状態の操作部材１１０に偏平導体２００を挿入して、操作部材１１０を閉じると、実線で示すように、接触端子１０１のアーム部１０２が偏平導体２００の図示しない端子に圧接し、偏平導体２００が接触端子１０１を介して図示しない回路基板に電気的に接続するようになっている。
【０００３】
【特許文献１】
特開２００２−６３９５９号公報
【０００４】
【発明が解決しようとする課題】
しかし、上記した従来の偏平導体用コネクタでは、次のような問題がある。
上記偏平導体用コネクタでは、操作部材１１０のガイド部１１１の先端部に突起状の当接部１１２が形成され、操作部材１１０に挿入された偏平導体２００の先端がこの当接部１１２に当接する構造であるので、偏平導体２００をハウジング１００に奥深く挿入することができない。即ち、この偏平導体用コネクタは、いわゆる有効嵌合長が短く、多少の振動や外力によって偏平導体２００と偏平導体用コネクタとの接続が外れてしまうおそれがある。
【０００５】
この発明は上述した課題を解決するためになされたもので、有効嵌合長を十分長することができる偏平導体用コネクタを提供することを目的とするものである。
【０００６】
【課題を解決するための手段】
上記課題を解決するために、請求項１の発明は、上アーム部及び下アーム部を有した複数の接触端子を開口側に向けて収納したハウジングと、ハウジングに回動自在に保持され、回動中心より前側に偏平導体を受け入れるための受入部を有し、この受入部の上部からハウジングの内部迄延出し且つ閉時に接触端子の上アーム部に下方から当接するガイド部を有した操作部材とを具備する偏平導体用コネクタであって、操作部材のガイド部の下面を、ハウジングの奥方に向かって上方に傾斜するように形成した構成としてある。
かかる構成により、偏平導体を操作部材の受入部から挿入すると、偏平導体がガイド部に沿ってハウジングの奥方に進入する。特に、フレキシブルな偏平導体では、受入部から挿入していくと、先端部分がガイド部下面に沿って上方に曲がり、ハウジングの奥深くまで達する。
【０００７】
また、請求項２の発明は、請求項１に記載の偏平導体用コネクタにおいて、操作部材のガイド部の上面を、ハウジングの奥方に向かって上方に傾斜するように形成すると共に、接触端子の上アーム部の上面を、ハウジングの開口に向かって下方に傾斜するように形成することにより、操作部材の閉時に、ガイド部と上アーム部との係合を可能にした構成とした。
かかる構成により、操作部材の閉時に、ガイド部と接触端子の上アーム部とが係合するので、操作部材がハウジングから離れる方向に移動することはない。
【０００８】
【発明の実施の形態】
以下、この発明の実施の形態について図面を参照して説明する。
図１はこの発明の一実施形態に係る偏平導体用コネクタの外観図であり、図２は偏平導体用コネクタの分解斜視図であり、図３は図１の矢視Ａ−Ａ断面図である。
図１及び図２に示すように、この実施形態の偏平導体用コネクタはハウジング１と操作部材２とを備えている。
【０００９】
ハウジング１は、図２に示すように、天面部１０と床面部１１と両側面部１２，１２とで画成されており、その内部には、接触端子３を収納するための複数の溝１３が刻設されている。
溝１３は、図３にも示すように、上溝１３ａと下溝１３ｂとでなり、接触端子３がこれら上溝１３ａ，下溝１３ｂに差し込まれている。
【００１０】
図４は、接触端子３の側面図である。
図４の示すように、接触端子３は上アーム部３０と下アーム部３１とテール部３２とを有しており、図３に示すように、接触端子３がハウジング１の開口１ａ側を向くように溝１３に収納されている。具体的には、上アーム部３０が上溝１３ａに差し込まれ、下アーム部３１が下溝１３ｂに差し込まれた状態で溝１３内に収納されている。
また、この接触端子３の上アーム部３０は、傾斜部３０ａを有している。この傾斜部３０ａは、上アーム部３０の下面をハウジング１の開口１ａに向かって下方に所定角度θだけ傾斜させることで形成してある。
【００１１】
一方、図１〜図３に示す操作部材２は、偏平導体２００をハウジング１内に案内するための部材であり、ハウジング１の開口１ａの両端近傍に回転自在に取り付けられている。
具体的には、図２に示すように、軸２０，２０が操作部材２の両側部に突設され、これら軸２０，２０が、ハウジング１の側面部１２上に凹設された嵌合部１２ａ，１２ａ内に回動自在に嵌められている。
【００１２】
このように、ハウジング１に軸支された操作部材２は、受入部２１とガイド部２２とを有している。
受入部２１は、軸２０より前側に形成されたロ字状の筒体であり、偏平導体２００を前方の開口２１ａから受け入れることができる。
また、ガイド部２２は、受入部２１内に挿入された偏平導体２００の先端部分をハウジング１内の接触端子３に案内する部分である。
図５は、操作部材２の断面図である。
図５に示すように、ガイド部２２は受入部２１の上部からハウジング１側に延出しており、その上面には、ハウジング１側に向かって上方に所定角度θだけ傾斜した上傾斜部２２ａが形成されている。即ち、図３に示すように、操作部材２を閉じると、この上傾斜部２２ａが下方から接触端子３の上アーム部３０の傾斜部３０ａに係合するように設定されている。
さらに、ガイド部２２は、    その下面にも下傾斜部２２ｂを有している。この下傾斜部２２ｂは、ガイド部２２の下面をハウジング１側に向かって上方に傾斜させることで形成した。
【００１３】
上記のような構造の偏平導体用コネクタには、図１に示すように、操作部材２の閉状態を維持するためのロック機構４が設けられている。
このロック機構４は、ハウジング１の両側面部１２，１２から前方に延出したアーム部１２ｂ，１２ｂの内側に形成された爪部４０，４０と、操作部材２の受入部２１の側面外側に形成された突起部４１，４１とで構成されている。
すなわち、開状態の操作部材２を回動させて閉じると、ロック機構４の突起部４１が爪部４０に下側から係合して、操作部材２をロックする。
【００１４】
次に、この実施形態の偏平導体用コネクタが示す動作について説明する。
まず、図６に示すように、偏平導体用コネクタを回路基板３００上に取り付け、接触端子３のテール部３２を回路基板３００の配線パターンに接続する。かかる状態で、開状態の操作部材２に偏平導体２００を挿入する。
つまり、偏平導体２００の先端部分を開口２１ａを通じて操作部材２の受入部２１内に差し込んでいく。すると、偏平導体２００は受入部２１を貫通し、ガイド部２２に案内されて、接触端子３の上アーム部３０と下アーム部３１との間に向かう。
このとき、ガイド部２２の下面には、偏平導体２００の進入を阻止する突起などが存在しないので、偏平導体２００は、何の抵抗を受けることなく、上アーム部３０と下アーム部３１との間隙に奥深くに入り込む。
さらに、フレキシブルな偏平導体２００を、操作部材２内に差し込んでいくと、先端が下アーム部３１に当たって、先端部分が上方に反る。このとき、ガイド部２２の下傾斜部２２ｂが上方に傾斜しているので、偏平導体２００の先端部分は、ガイド部２２の下傾斜部２２ｂ側に逃げるように曲がり、ハウジング１内にさらに奥深く進入する。
【００１５】
このように、偏平導体２００をハウジング１内深く差し込んだ後、操作部材２を閉じる。
図７は、偏平導体２００が差し込まれた操作部材２の閉状態を示す断面図である。
図７に示すように、操作部材２を閉じると、偏平導体２００の先端部分が接触端子３の下アーム部３１に圧接し、下アーム部３１の突起部３１ａが偏平導体２００の図示しない端子に接触する。この結果、偏平導体２００と上記回路基板３００とが接触端子３を介して電気的に接続されることとなる。このとき、偏平導体２００がハウジング１内深く差し込まれているので、多少の振動や外力では、偏平導体２００と偏平導体用コネクタとの接続が外れることはない。
さらに、操作部材２の閉時においては、ガイド部２２の上傾斜部２２ａと上アーム部３０の傾斜部３０ａとが係合するので、操作部材２がハウジング１から離れる方向に移動することはない。
【００１６】
【発明の効果】
以上詳しく説明したように、請求項１の発明に係る偏平導体用コネクタによれば、操作部材がガイド部に突起物が設けられておらず、しかも、ガイド部の下面が上方に反っているので、偏平導体をハウジングの奥深く迄挿入することができ、十分な有効嵌合長を得ることができる。
また、請求項２の発明に係る偏平導体用コネクタによれば、操作部材がハウジングから離れる方向に移動することを防止することができるので、接触端子と偏平導体との接触不良が発生することはない。
【図面の簡単な説明】
【図１】この発明の一実施形態に係る偏平導体用コネクタの外観図である。
【図２】偏平導体用コネクタの分解斜視図である。
【図３】図１の矢視Ａ−Ａ断面図である。
【図４】接触端子の側面図である。
【図５】操作部材の断面図である。
【図６】操作部材の開状態を示す断面図である。
【図７】偏平導体が差し込まれた操作部材の閉状態を示す断面図である。
【図８】従来の偏平導体用コネクタの一例を示す断面図である。
【符号の説明】
１…ハウジング、  １ａ…開口、  ２…操作部材、  ３…接触端子、  ４…ロック機構、  １０…天面部、  １１…床面部、  １２…側面部、  １２ａ…嵌合部、１３…溝、  ２０…軸、  ２１…受入部、  ２１ａ…開口、  ２２…ガイド部、  ２２ａ…上傾斜部、  ２２ｂ…下傾斜部、  ３０…上アーム部、  ３０ａ…傾斜部、  ３１…下アーム部、  ３２…テール部、  ４０…爪部、  ４１…突起部、  ２００…偏平導体。
【図１】
2004185839.tif 000003
【図２】
2004185839.tif 000004
【図３】
2004185839.tif 000005
【図４】
2004185839.tif 000006
【図５】
2004185839.tif 000007
【図６】
2004185839.tif 000008
【図７】
2004185839.tif 000009
【図８】
2004185839.tif 000010